(57)【要約】【課題】  十分な強度と良好な切削性を確保し、更に鋼製のセグメントやダグタイル製のセグメント等、種々のセグメントと接合し易く接合構造が複雑になることを抑制する切削可能セグメントを提供する。【解決手段】  一方向に配列される長繊維材１７である第１の繊維と第１の繊維の配列方向とは異なる方向に配向するように配置されている第２の繊維とに樹脂が含浸されて形成されている繊維補強樹脂層１５で形成されている。硬化した繊維補強樹脂層１５により中空断面形状となるように形成される。【選択図】        図１
2007031980.tif 000002
【特許請求の範囲】
【請求項１】
シールド機を用いて構築されるトンネル等の円筒状壁体を構成する切削可能セグメントであって、
一方向に配列されている長繊維材である第１の繊維と当該第１の繊維の配列方向とは異なる方向に配向するように配置されている第２の繊維とに樹脂が含浸されて形成されている繊維補強樹脂層で形成され、
硬化した前記繊維補強樹脂層により中空断面形状となるように形成されていることを特徴とする切削可能セグメント。
【請求項２】
前記第２の繊維は、ランダムな配向方向に配置されている短繊維材であることを特徴とする請求項１に記載の切削可能セグメント。
【請求項３】
前記第２の繊維は、前記第１の繊維の配列方向とは異なる方向において一方向に配列された長繊維材であることを特徴とする請求項１に記載の切削可能セグメント。
【請求項４】
前記第２の繊維として、前記第１の繊維の配列方向とは異なる方向において一方向に配列された長繊維材とランダムな配向方向に配置されている短繊維材とを備えていることを特徴とする請求項１に記載の切削可能セグメント。
【請求項５】
前記繊維補強樹脂層はシート状に形成されており、当該繊維補強樹脂層が複数層積層されて硬化するとともに前記中空断面形状になるように形成されていることを特徴とする請求項１乃至請求項４のいずれか１項に記載の切削可能セグメント。
【請求項６】
前記中空断面形状は、複数の閉じられた中空断面を備えていることを特徴とする請求項１乃至請求項５のいずれか１項に記載の切削可能セグメント。
【請求項７】
前記複数の閉じられた中空断面は、一体成形によって形成されていることを特徴とする請求項６に記載の切削可能セグメント。
【請求項８】
前記繊維補強樹脂層が硬化して少なくとも１つの中空断面を有する断面形状となるように形成されている繊維補強部材が複数接合されることで前記中空断面形状が形成されていることを特徴とする請求項６に記載の切削可能セグメント。
【請求項９】
前記中空断面形状の中空部分において、充填された中詰め材が更に備えられていることを特徴とする請求項１乃至請求項８のいずれか１項に記載の切削可能セグメント。
【発明の詳細な説明】
【技術分野】
【０００１】
本発明は、シールド機を用いて構築されるトンネル等の円筒状壁体を構成する切削可能セグメントに関する。
【背景技術】
【０００２】
従来、非開削工法による地下構造物の構築方法として、いわゆるパイプルーフ工法が知られている（特許文献１参照）。このパイプルーフ工法では、シールド機を地中で推し進めて円形または矩形断面の２つのシールド孔を平行に掘削して形成し、その後、この２つのシールド孔の間の中間部に山留め工としての複数の鋼製の推進管を配設し、それらの内側の部分を掘削して中間部を拡幅することが行われる。そして、このパイプルーフ工法では、一方のシールド孔から他方のシールド孔に掘進機を発進させて掘削し、２本のシールド孔の間を推進管で接続する工程が行われる。このとき、シールド機を用いて構築されるトンネルの壁部に配置されるセグメントのうち掘進機が掘削を開始する地点である発進部や掘削を終了する到達地点である到達部として、切削可能な部分を設けることが特許文献１において開示されている。
【０００３】
上述のようにセグメントとして切削可能な部分を構成する部材として、プラスチック発泡体を一方向に配列された無機繊維で補強したものを用いることが知られている（特許文献２、３参照）。特許文献２に記載された切削可能部は、プラスチック発泡体を無機繊維で補強した複数の複合材が円筒壁の一部を形成するように円周方向に沿って配置されるとともに、その互いに隣り合う複合材同士が相互に接合された接合体によって構成されているものである。また、特許文献３に記載された切削可能部は、プラスチック発泡体を無機繊維で補強した板状の複合体が所定の曲率に湾曲された状態で複数枚積層されているとともに、その各板状の複合体間に接着剤層またはＦＲＰ層が積層されているものである。
【０００４】
【特許文献１】特開２００４−３５３３７７号公報
【特許文献２】特開２００４−３６１７７号公報
【特許文献３】特開２００５−６１２１２号公報
【発明の開示】
【発明が解決しようとする課題】
【０００５】
しかしながら、特許文献２および特許文献３に記載された切削可能部（例えば切削可能セグメントとして用いる場合）では、プラスチック発泡体を一方向に配列された無機繊維で補強した薄い板状の複合体を円筒の径方向に複数積層した中実構造の断面形状となる積層体として形成されており、構造形式上は一方向板としてのみ機能するため、限られた部材厚の範囲では、トンネル壁部の一部として十分な強度を確保することが難しい。また、このような中実構造の積層体として形成されたセグメントと鋼製、ダグタイル製、ＲＣ製あるいは複合構造のセグメントとの接合部におけるそれぞれの断面の形態は大幅に異なったものとして構成されているため、それらの接合部における接合構造がかなり複雑なものになってしまうという問題がある。また、このような切削可能セグメントでは、掘進機によって切削したときにはプラスチック発泡体の部分で破断して大きな切削屑が発生するため、掘進機の刃や配管内に切削屑が挟まって切削できなくなることもある。
【０００６】
本発明は、上記実情に鑑みることにより、シールド機を用いて構築されるトンネル等の円筒状壁体を構成する切削可能セグメントに関し、壁体を構成するセグメントとして十分な強度を有するとともに掘進機による良好な切削性も確保することができ、さらに鋼製のセグメントやダグタイル製のセグメントなど、種々のセグメントと接合し易く接合構造を単純化できる切削可能セグメントを提供することを目的とする。
【課題を解決するための手段及び効果】
【０００７】
本発明に係る切削可能セグメントは、シールド機を用いて構築されるトンネル等の円筒状壁体を構成する切削可能セグメントに関する。
そして、本発明に係る切削可能セグメントは、上記目的を達成するために以下のようないくつかの特徴を有している。すなわち、本発明は、以下の特徴を単独で、若しくは、適宜組み合わせて備えている。
【０００８】
上記目的を達成するための本発明に係る切削可能セグメントにおける第１の特徴は、一方向に配列される長繊維材である第１の繊維と当該第１の繊維の配列方向とは異なる方向に配向するように配置されている第２の繊維とに樹脂が含浸されて形成されている繊維補強樹脂層で形成され、硬化した前記繊維補強樹脂層により中空断面形状となるように形成されていることである。
【０００９】
この構成によると、繊維補強樹脂層には、一方向に配列されている長繊維材に加えてこの長繊維材と異なる配列方向に配向するように配置された第２の繊維も備えられているため、複数の方向から外力が作用する場合であってもそれぞれの方向において高い耐力を発揮することができる。そして、中空断面形状となるように形成されているため、その中空部分に適宜中詰め材を充填することができ、容易に更なる強度の向上を図ることができる。よって、トンネル壁部を構成するセグメントとして十分な強度を確保することができる。また、本発明の構成によると、第１の繊維と第２の繊維とが樹脂に配されて強度の偏りが少ない状態の繊維補強樹脂で形成されており、大きな切削屑が発生することがない。このため、良好な切削性を確保することができる。また、硬化した繊維補強樹脂層で中空断面形状となるように形成されるものであり、その接合部の形状を鋼製のセグメント等、接合相手となるセグメントに適宜対応した形状に形成することができ、種々のセグメントと容易に接合することができる。したがって、トンネル壁部を構成するセグメントとして十分な強度を有するとともに掘進機による良好な切削性も確保することができ、さらに種々のセグメントと接合し易く接合構造が複雑になってしまうことを抑制することができる。
【００１０】
本発明に係る切削可能セグメントにおける第２の特徴は、前記第２の繊維は、ランダムな配向方向に配置されている短繊維材であることである。
【００１１】
この構成によると、一方向に配列されている長繊維材に加えてランダムな配向方向に配置された短繊維材も含有されているため、種々の方向から外力が作用する場合であってもそれぞれの方向において高い耐力を発揮することができ、トンネル壁部を構成するセグメントとして十分な強度を確保することができる。そして、長繊維材に加えてランダム配置の短繊維材が樹脂に分散された状態で強度の偏りが非常に少ない状態になっており、大きな切削屑が発生することがない。このため、良好な切削性を確保することができる。
【００１２】
本発明に係る切削可能セグメントにおける第３の特徴は、前記第２の繊維は、前記第１の繊維の配列方向とは異なる方向において一方向に配列された長繊維材であることである。
【００１３】
この構成によると、第１および第２の繊維として複数の方向に配向するように配列された長繊維材が含有されているため、複数の方向から外力が作用する場合であってもそれぞれの方向において高い耐力を発揮することができ、トンネル壁部を構成するセグメントとして十分な強度を確保することができる。そして、長繊維材が複数の方向に配向して配列されているため強度の偏りが少ない状態になっており、大きな切削屑が発生することがない。このため、良好な切削性を確保することができる。
【００１４】
本発明に係る切削可能セグメントにおける第４の特徴は、前記第２の繊維として、前記第１の繊維の配列方向とは異なる方向において一方向に配列された長繊維材とランダムな配向方向に配置されている短繊維材とを備えていることである。
【００１５】
この構成によると、複数の方向に配向するように配列された長繊維材とランダムな配向方向に配置された短繊維材とが含有されているため、種々の方向から外力が作用する場合であってもそれぞれの方向において高い耐力を発揮することができ、トンネル壁部を構成するセグメントとして十分な強度を確保することができる。そして、複数の方向に配列された長繊維材とランダム配置の短繊維材とが樹脂に分散された状態で強度の偏りが非常に少ない状態になっており、大きな切削屑が発生することがない。このため、良好な切削性を確保することができる。
【００１６】
本発明に係る切削可能セグメントにおける第４の特徴は、前記繊維補強樹脂層はシート状に形成されており、当該繊維補強樹脂層が複数層積層されて硬化するとともに前記中空断面形状になるように形成されていることである。
【００１７】
この構成によると、繊維補強樹脂層を積層して一体的に硬化させることで形成できるため、寸法設計の自由度が大きく、大型の切削可能セグメントであっても容易に形成することができる。
【００１８】
本発明に係る切削可能セグメントにおける第５の特徴は、前記中空断面形状は、複数の閉じられた中空断面を備えていることである。
【００１９】
この構成によると、複数の閉じられた中空断面を備える中空断面形状として形成されていることで、高い剛性を確保することができ、トンネル壁部を構成するセグメントとして十分な強度を確保することができる。
【００２０】
本発明に係る切削可能セグメントにおける第６の特徴は、前記複数の閉じられた中空断面は、一体成形によって形成されていることである。
【００２１】
この構成によると、複数の閉じられた中空断面を備える中空断面形状が一体成形されることで、一回の工程で効率よく製造することができる。
【００２２】
本発明に係る切削可能セグメントにおける第７の特徴は、前記繊維補強樹脂層が硬化して少なくとも１つの中空断面を有する断面形状となるように形成されている繊維補強部材が複数接合されることで前記中空断面形状が形成されていることである。
【００２３】
この構成によると、それぞれ中空断面を有する断面形状の繊維補強部材を形成してそれらを複数接合することで、中空断面形状の切削可能セグメントを容易に作製することができる。
【００２４】
本発明に係る切削可能セグメントにおける第８の特徴は、前記中空断面形状の中空部分において、充填された中詰め材が更に備えられていることである。
【００２５】
この構成によると、中空断面形状の中空部分に中詰め材が充填されていることにより、良好な切削性を確保しつつ、剛性を高めてトンネル壁部を構成するセグメントとして十分な強度を確保することができる。
【発明を実施するための最良の形態】
【００２６】
以下、本発明を実施するための最良の形態について図面を参照しつつ説明する。本発明の実施形態に係る切削可能セグメントは、シールド機を用いて構築されるトンネルの壁部に配置されるものとして広く用いることができるものである。そして、本実施形態に係る切削可能セグメントは、例えば、シールド機を用いて構築されるトンネルの壁部に配置されるセグメントのうち掘進機が掘削を開始する地点である発進部や掘削を終了する到達地点である到達部として用いることができるものである。
【００２７】
図１は、本実施形態に係る切削可能セグメント１ａを示す斜視図である。図１に示すように、切削可能セグメント１ａは、円筒壁の内外周面の一部をそれぞれ構成するように形成されている内面１１と外面１２とを有している。そして、この切削可能セグメント１ａは、円筒壁における円周方向と直交する断面が矩形となるように構成されており、この矩形の断面が中空断面形状となるように形成されている。また、この中空断面形状は、複数の閉じられた中空断面を備えて構成されており、これにより複数の中空部分１３が形成されている。
【００２８】
また、図２乃至図４は、図１に示す切削可能セグメント１ａにおいて中空断面形状の中空部分１３に対してモルタル等で構成される中詰め材が充填されて固化された切削可能セグメント１ｂを示したものである。なお、図２は切削可能セグメント１ｂの平面図を、図３は図２のIII−III線矢視断面図を、図４は図２のIV−IV線矢視断面図をそれぞれ示したものである。このように、本実施形態に係る切削可能セグメントとしては、中空部分１３に中詰め材１４が充填されていない切削可能セグメント１ａとしても、また、中空部分１３に中詰め材１４が充填された切削可能セグメント１ｂとしても実施することができる。
【００２９】
切削可能セグメント１ａ・１ｂ（以下、「切削可能セグメント１」ともいう）は、シート状に形成された繊維補強樹脂層を複数層積層することで形成されており、この複数層積層された繊維補強樹脂層が一体的に硬化することで中空断面形状となるように形成されている。図５は、複数層積層されるうちの１つの繊維補強樹脂層１５の断面の構造を説明するための模式図である。この模式図に示す繊維補強樹脂層１５は、シート・モールド・コンパウンド１６（以下、「ＳＭＣ１６」という）に補強材のガラス長繊維材１７を加えて一体で成形したガラス繊維強化プラスチック（ＧＦＲＰ：Glass Fiber Reinforced Plastic）として構成されている。そして、ガラス長繊維材１７は、一方向に並んで配列されている。
【００３０】
ＳＭＣ１６は、不飽和ポリエステル樹脂である樹脂マトリックス中に低収縮剤、充填剤、添加剤等を加えた混合物を強化材であるガラス短繊維材（図示せず）に含浸させ、厚さ１〜５ｍｍ程度のシート状に加工した熱硬化性成形材料として構成されている。ガラス短繊維材は、ＳＭＣ１６中においてランダムな配向方向に配置されている。なお、ガラス長繊維材１７とＳＭＣ１６におけるガラス短繊維材との原料物性は表１に示すとおりであり、ＳＭＣ１６における不飽和ポリエステル樹脂の原料物性は表２に示すとおりである。
【００３１】
【表１】
2007031980.tif 000003
【００３２】
【表２】
2007031980.tif 000004
【００３３】
このように、切削可能セグメント１の形成に用いられる繊維補強樹脂層１５は、一方向に配列されているガラス長繊維材１７である第１の繊維とこのガラス長繊維材１７の配列方向とは異なる方向に配向するように配置されている第２の繊維とに樹脂が含浸されて形成されている。この第２の繊維が、前述したように、ＳＭＣ１６においてランダム配置されているガラス短繊維材により構成されている。
【００３４】
次に、本実施形態の切削可能セグメント１の製造方法について説明する。図６は、前述した複数の繊維補強樹脂層１５により中空断面形状の切削可能セグメント１を成形する工程を説明する模式断面図である。図６に示す成形工程においては、上金型１８ａおよび下金型１８ｂで構成される金型１８と、マンドレル１９とが用いられる。
【００３５】
まず、矩形断面の各マンドレル１９に対して複数の繊維補強樹脂層１５を芯の外周に沿って重ねていきながら順次巻付けていく。所定の厚みまで繊維補強樹脂層１５を芯に対して巻き付けると、それらを上金型１８ａと下金型１８ｂとの間に隣接させた状態で平行に並べて配設する。これにより、図６の模式断面図に示す状態となり、この状態でボルト締め等により上金型１８ａと下金型１８ｂとが固定される。なお、上金型１８ａは切削可能セグメント１の内面１１を形成可能な曲面に形成されており、下金型１８ｂは外面１２を形成可能な曲面に形成されている。また、マンドレル１９は、上金型１８ａおよび下金型１８ｂが形成する曲面と略平行に配置可能な形状に形成されている。
【００３６】
図６に示す状態で金型１８が固定されると、続いて、適宜の手段により所定の圧力温度まで加熱する。これにより、金型１８とマンドレル１９との間で複数積層されて成る繊維補強樹脂層１５が加熱加圧成形されることになる。そして、この加熱加圧成形終了後は、金型１８を分解し、マンドレル１９を抜き取ることで切削可能セグメント１ａが得られることになる。このように、図１に示すような複数の閉じられた中空断面は、一体成形によって形成されることになる。なお、こうして得られた切削可能セグメント１ａの中空部分１３に前述のように中詰め材１４を充填することで切削可能セグメント１ｂが得られることになる。
【００３７】
このようにして得た切削可能セグメント１をシールドトンネルのセグメントとして組み込むことにより、掘進機で直接切削可能なトンネルとなり、トンネル内からの分岐や複数トンネルの交差が可能となる。
【００３８】
以上説明した本実施形態の切削可能セグメント１によると、繊維補強樹脂層１５には、一方向に配列されている第１の繊維である長繊維材１７に加えてこの長繊維材１７と異なる配列方向に配向するように配置された第２の繊維も備えられているため、複数の方向から外力が作用する場合であってもそれぞれの方向において高い耐力を発揮することができる。そして、中空断面形状となるように形成されているため、その中空部分１３に適宜中詰め材１４を充填することができ、容易に更なる強度の向上を図ることができる。よって、トンネル壁部を構成するセグメントとして十分な強度を確保することができる。また、切削可能セグメント１によると、第１の繊維と第２の繊維とが樹脂に配された状態で強度の偏りが少ない状態の繊維補強樹脂１５で形成されており、大きな切削屑が発生することがない。このため、良好な切削性を確保することができる。また、硬化した繊維補強樹脂層１５で中空断面形状となるように形成されるものであり、その接合部の形状を鋼製、ダグタイル製、ＲＣ製あるいは複合構造などのセグメントに適宜対応した形状に形成することができ、これらのセグメントと容易に接合することができる。したがって、トンネル壁部を構成するセグメントとして十分な強度を有するとともに掘進機による良好な切削性も確保することができ、さらに種々のセグメントと接合し易く接合構造が複雑になってしまうことを抑制することができる。
【００３９】
また、切削可能セグメント１によると、一方向に配列されている長繊維材１７に加えてランダムな配向方向に配置された短繊維材も含有されているため、種々の方向から外力が作用する場合であってもそれぞれの方向において高い耐力を発揮することができ、トンネル壁部を構成するセグメントとして十分な強度を確保することができる。そして、長繊維材１７に加えてランダム配置の短繊維材が樹脂に分散された状態で強度の偏りが非常に少ない状態になっており、大きな切削屑が発生することがない。このため、良好な切削性を確保することができる。
【００４０】
また、切削可能セグメント１によると、繊維補強樹脂層１５を積層して一体的に硬化させることで形成できるため、寸法設計の自由度が大きく、大型の切削可能セグメントであっても容易に形成することができる。
【００４１】
また、切削可能セグメント１によると、複数の閉じられた中空断面を備える中空断面形状として形成されていることで、高い剛性を確保することができ、トンネル壁部を構成するセグメントとして十分な強度を確保することができる。
【００４２】
また、切削可能セグメント１によると、複数の閉じられた中空断面を備える中空断面形状が一体成形されることで、一回の工程で効率よく製造することができる。
【００４３】
また、切削可能セグメント１によると、中空断面形状の中空部分に中詰め材が充填されていることにより、良好な切削性を確保しつつ、剛性を高めてトンネル壁部を構成するセグメントとして十分な強度を確保することができる。
【００４４】
以上、本発明の実施形態について説明したが、本発明は上述の実施の形態に限られるものではなく、特許請求の範囲に記載した限りにおいて様々に変更して実施することが可能なものである。例えば、次のように変更して実施してもよい。
【００４５】
（１）本実施形態においては、第１の繊維として一方向に配列された長繊維材を含有し、第２の繊維としてランダムな配向方向に配置された短繊維材を含有する場合について説明したが、この通りでなくてもよい。第２の繊維としては、第１の繊維の配向方向とは異なる方向において一方向に配列された長繊維材であってもよい。すなわち、切削可能セグメント１を形成する繊維補強樹脂層１５において、ＳＭＣ１６中にガラス長繊維材１７とは異なる方向（例えば、直交する方向）において一方向に配列されたガラス長繊維材などであってもよい。
【００４６】
この変形例によると、第１および第２の繊維として複数の方向に配向するように配列された長繊維材が含有されているため、複数の方向から外力が作用する場合であってもそれぞれの方向において高い耐力を発揮することができ、トンネル壁部を構成するセグメントとして十分な強度を確保することができる。そして、長繊維材が複数の方向に配向して配列されているため強度の偏りが少ない状態になっており、大きな切削屑が発生することがない。このため、良好な切削性を確保することができる。
【００４７】
（２）また、第２の繊維として、第１の繊維の配列方向とは異なる方向において一方向に配列された長繊維材とランダムな配向方向に配置されている短繊維材とを備えているものであってもよい。この変形例によると、複数の方向に配向するように配列された長繊維材とランダムな配向方向に配置された短繊維材とが含有されているため、種々の方向から外力が作用する場合であってもそれぞれの方向において高い耐力を発揮することができ、トンネル壁部を構成するセグメントとして十分な強度を確保することができる。そして、複数の方向に配列された長繊維材とランダム配置の短繊維材とが樹脂に分散された状態で強度の偏りが非常に少ない状態になっており、大きな切削屑が発生することがない。このため、良好な切削性を確保することができる。
【００４８】
（３）また、本実施形態においては、切削可能セグメントにおける複数の閉じられた中空断面が一体成形によって形成されているものを例にとって説明したが、必ずしもこの通りでなくてもよい。例えば、繊維補強樹脂層が硬化して少なくとも１つの中空断面を有する断面形状となるように形成されている繊維補強部材が複数接合されることで複数の中空断面を備える中空断面形状が形成されている切削可能セグメントであってもよい。
【００４９】
図７は、繊維補強樹脂層が硬化して１つの中空断面を有する断面形状となるように形成されている複数の繊維補強部材５０を示す模式断面図である。これらの繊維補強部材５０を図中矢印で示す方向に接合することで、図８の模式断面図に示すように、複数の閉じられた中空断面を有する中空断面形状の切削可能セグメント２を得ることができる。この切削可能セグメント２によると、それぞれ中空断面を有する断面形状の繊維補強部材５０を形成してそれらを複数接合することで、中空断面形状の切削可能セグメントを容易に作製することができる。
【図面の簡単な説明】
【００５０】
【図１】本発明の一実施の形態に係る切削可能セグメントを示す斜視図である。
【図２】本発明の他の形態に切削可能セグメントを示す平面図である。
【図３】図２のIII−III線矢視断面図である。
【図４】図２のIV−IV線矢視断面図である。
【図５】図１に示す切削可能セグメントを形成するための繊維補強樹脂層の断面の構造を説明するための模式図である。
【図６】図１に示す切削可能セグメントを成形する工程を説明する模式断面図である。
【図７】変形例に係る切削可能セグメントを形成するための繊維補強部材を示す模式断面図である。
【図８】変形例に係る切削可能セグメントを示す模式断面図である。
【符号の説明】
【００５１】
１、１ａ、１ｂ  切削可能セグメント
１３            中空部分
１５            繊維補強樹脂層
１６            シート・モールド・コンパウンド（樹脂、第２の繊維）
１７            ガラス長繊維材（第１の繊維）
【図１】
2007031980.tif 000005
【図２】
2007031980.tif 000006
【図３】
2007031980.tif 000007
【図４】
2007031980.tif 000008
【図５】
2007031980.tif 000009
【図６】
2007031980.tif 000010
【図７】
2007031980.tif 000011
【図８】
2007031980.tif 000012